(57)【要約】【課題】本発明の課題は、特定参入者の状態を検出することにより、グループ通話への参入を可能にし、またはグループ通話の参加者を強制的に離脱させる無線通信システムを提供することにある。【解決手段】本発明は、グループ通話に参入希望者の参入を可能とした無線通信システムにおいて、基地局１〜Ｎのいずれかに対して定期的に位置登録を行いつつ無線通信する携帯機１００〜ｎと、基地局１〜Ｎを統制制御する制御装置１１とを備え、制御装置１１は、特定参入者を登録したメモリ１４を有し、前記特定参入者が含まれているグループ通話より特定参入者が離脱すると、当該グループ通話に参入している者全員を強制離脱させる処理を行うことを特徴とするものである。【選択図】図２
2010028213.tif 000002
【特許請求の範囲】
【請求項１】
グループ通話に参入希望者の参入を可能とした無線通信システムにおいて、
基地局のいずれかに対して定期的に位置登録を行いつつ無線通信する携帯機と、
前記基地局を統制制御する制御装置と、
を備え、
前記制御装置は、
特定参入者を登録したメモリを有し、
前記特定参入者が含まれているグループ通話より特定参入者が離脱すると、当該グループ通話に参入している者全員を強制離脱させる処理を行うことを特徴とする無線通信システム。
【請求項２】
グループ通話に参入希望者の参入を可能とした無線通信システムにおいて、
基地局のいずれかに対して定期的に位置登録を行いつつ無線通信する携帯機と、
前記基地局を統制制御する制御装置と、
を備え、
前記制御装置は、
特定参入者を登録したメモリを有し、
前記特定参入者がグループ通話に含まれていれば、特定参入者以外の者の参入を可能にしてグループ通話を実行することを特徴とする無線通信システム。
【発明の詳細な説明】
【技術分野】
【０００１】
本発明は、例えばＰＨＳ（Ｐｅｒｓｏｎａｌ  Ｈａｎｄｙ−ｐｈｏｎｅ  Ｓｙｓｔｅｍ）、携帯電話機等の携帯機による参入希望者の参入を可能としたグループ通話における特定参入者の状態により、参入希望者の参入やグループ通話の維持等を制御する無線通信システムに関するものである。
【背景技術】
【０００２】
従来、携帯機による参入希望者の参入を可能とした参加型グループ通話は、最大何名まで参加が出来るかの制限はあるものの、不特定多数が参入可能であり、本来必要な参加者が参入できなかったり、携帯機の置き忘れ、充電中等で通話の切り忘れ等の離脱忘れ等があり関係の無い周囲の背景音がグループ通話に流れてきたりしていた。
【０００３】
また、離脱については、ほとんど参入者の意思のみによって可能な為、離脱忘れ等をしている不要な参入者を特定し離脱を促したりする必要があった。
【０００４】
ほとんどの場合は、離脱忘れ者の存在に気がつかず、長期間に渡り不要な音を聞く事になる欠点があった。
【特許文献２】特開２００１−２８６３１号公報
【発明の開示】
【発明が解決しようとする課題】
【０００５】
本発明は上記の事情に鑑みてなされたもので、特定参入者の状態を検出することにより、グループ通話への参入を可能にし、またはグループ通話の参加者を強制的に離脱させ、本来グループ通話を使用すべき人のみが使用できやすいようにすると共に離脱忘れ等による不要な背景音がグループ通話に流れるのを防止する無線通信システムを提供することを目的とする。
【課題を解決するための手段】
【０００６】
上記目的を達成するために本発明は、グループ通話に参入希望者の参入を可能とした無線通信システムにおいて、基地局のいずれかに対して定期的に位置登録を行いつつ無線通信する携帯機と、前記基地局を統制制御する制御装置とを備え、前記制御装置は、特定参入者を登録したメモリを有し、前記特定参入者が含まれているグループ通話より特定参入者が離脱すると、当該グループ通話に参入している者全員を強制離脱させる処理を行うことを特徴とするものである。
【０００７】
また本発明は、グループ通話に参入希望者の参入を可能とした無線通信システムにおいて、基地局のいずれかに対して定期的に位置登録を行いつつ無線通信する携帯機と、前記基地局を統制制御する制御装置とを備え、前記制御装置は、特定参入者を登録したメモリを有し、前記特定参入者がグループ通話に含まれていれば、特定参入者以外の者の参入を可能にしてグループ通話を実行することを特徴とするものである。
【発明の効果】
【０００８】
本発明の無線通信システムは、例えば作業指示者等の特定参入者の状態を検出することにより、グループ通話への参入を可能にし、またはグループ通話の参加者を強制的に離脱させ、本来グループ通話を使用すべき人のみが使用できやすいようにすることができる。
【０００９】
また、不要参入者の低減や離脱忘れの防止が可能であるため、関係の無い背景音がグループ通話に流れるのを防止することができる。
【発明を実施するための最良の形態】
【００１０】
以下図面を参照して本発明の実施の形態を詳細に説明する。
【００１１】
図１は本発明の実施形態に係る無線通信システムを示す構成説明図である。図１に示すように、複数の基地局１……Ｎ（Ｎは２以上の正の整数）は制御装置１１に接続される。１００，１０１……ｎ（ｎは１０２以上の正の整数）は例えばＰＨＳ、携帯電話機等の携帯機であり、各携帯機１００，１０１……ｎは基地局１……Ｎのいずれかに対して定期的に位置登録を行いつつ無線通信する。
【００１２】
前記制御装置１１は基地局１……Ｎを統制制御するもので、回線制御部１３、メモリ１４、会議トランク１５等より構成される。前記会議トランク１５は、複数の携帯機１００，１０１……ｎが同時に通話する多者同時通話に用いるものであり、複数の送受話ポートを備え、各送受話ポートに携帯機１００，１０１……ｎを割り当て、回線制御部１３からの指示に従って同一グループに指定された受話ポートから入力された全ての音声を合成し、各々の送話ポートに出力するものである。合成音声を出力する際は、送出先の携帯機１００，１０１……ｎからの入力音声を除いた合成音声を出力する。
【００１３】
また、前記制御装置１１は、グループ毎に、グループ通話の識別番号であるグループ特番、例えば作業指示者等の特定参入者（番号）を制御装置１１のメモリ１４に記録して登録する。特定参入者は例えば主任、副主任等を予め数名決める。
【００１４】
すなわち、グループ通話に参加する人が、グループ特番を発呼すると、制御装置１１の回線制御部１３が、会議トランク１５に発呼者を当該グループ特番に対応するポートに接続するよう指示を出力し、会議トランク１５が、グループ特番の送受話ポートに空きがあるか否かをチェックして、空きがあれば発呼者をグループ通話の送受話ポートに接続し、グループ通話が開始される。このように、グループ通話に参入希望者の参入を可能としている。
【００１５】
図２は本発明の実施形態に係る制御装置の処理を示すフローチャートである。図２では、電話番号１００番の携帯機１００が特定参入者であり、特定参入者以外の者である電話番号１０１番の携帯機１０１が参加型グループ通話に参入しようとする場合について説明する。すなわち、電話番号１０１番の携帯機１０１がグループ通話特番を押下（ステップＳ１）して発呼すると、制御装置１１の回線制御部１３は、メモリ１４を検索して当該グループ通話に特定参入者である電話番号１００番の携帯機１００が参入中（ステップＳ２）でなければ、電話番号１０１番の携帯機１０１にビジートーンを返して話中処理（ステップＳ３）をする。当該グループ通話に特定参入者である電話番号１００番の携帯機１００が参入中（ステップＳ２）であれば、電話番号１０１番の携帯機１０１を会議トランク１５の空きポートに接続し、当該グループ通話に参入させる参入処理（ステップＳ４）をする。
【００１６】
また、制御装置１１の回線制御部１３は、グループ通話より電話番号ＸＸＸ番の携帯機ＸＸＸがグループ通話を切って離脱し会議トランク１５のポートを開放する離脱処理（ステップＳ５）をした場合、離脱した電話番号ＸＸＸ番の携帯機ＸＸＸが特定参入者である電話番号１００番の携帯機１００（ステップＳ６）でないときは当該電話番号ＸＸＸ番の携帯機ＸＸＸのみを当該グループ通話より離脱して会議トランク１５のポートを開放する離脱処理（ステップＳ７）を行う。一方、離脱した電話番号ＸＸＸ番の携帯機ＸＸＸが特定参入者である電話番号１００番の携帯機１００（ステップＳ６）であるときは、当該グループ通話より当該グループ通話に参入している者全員を強制的に離脱させる離脱処理（ステップＳ８）を行い、当該グループ通話の会議トランク１５の全てのポートを開放する。
【００１７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００１８】
【図１】本発明の実施形態に係る無線通信システムを示す構成説明図である。
【図２】本発明の実施形態に係る制御装置の処理を示すフローチャートである。
【符号の説明】
【００１９】
１〜Ｎ…基地局、１１…制御装置、１３…回線制御部、１４…メモリ、１５…会議トランク、１００〜ｎ…携帯機。
【図１】
2010028213.tif 000003
【図２】
2010028213.tif 000004